(57)【要約】【課題】着用者の顔面に貼るタイプの保持部材を用いながら、何回でも付け外しが可能なマスクを提供する。【解決手段】本発明に係るマスク８０ａ、８０ｂは、粘着層３２ａ、３４ａにシリコンゲル系の粘着剤を用いているため、複数回の付け外しを行っても粘着力の劣化がほとんど発生しない。このため、何回付け外しを行っても強い粘着力を維持することができる。さらに、シリコンゲル系の粘着層３２ａ、３４ａは肌にフィットするため、従来のマスクよりも着用時の圧迫感や装着感を軽減することができる。【選択図】図１
2014008367.tif 000002
【特許請求の範囲】
【請求項１】
通気性を備え着用者の鼻及び口を覆うマスク面布と、
前記マスク面布の両側部に設けられ前記マスク面布を着用者の顔面に保持する保持部材と、を備えたマスクにおいて、
前記保持部材は、前記マスク面布の両側上部に設けられた一対の第１保持部と、前記マスク面布の両側下部に設けられた一対の第２保持部と、第１保持部及び第２保持部の着用者側の面に設置された複数回の粘着が可能な粘着層と、を有し、
前記第１保持部の粘着層が着用者の頬骨部分に密着し、前記第２保持部の粘着層が着用者の下顎部分に密着することで前記マスク面布を着用者の顔面に保持することを特徴とするマスク。
【請求項２】
粘着層がシリコンゲル系の粘着剤からなることを特徴とする請求項１記載のマスク。
【請求項３】
マスク面布が、着用者の鼻の位置に切欠き部を備えた第１マスク面布と、前記切欠き部を覆う第２マスク面布と、を有し、
第２マスク面布の下端は前記切欠き部の下端よりも下方に位置し、第２マスク面布の下部に第１マスク面布と第２マスク面布とで形成される間隙部を備え、
着用者の鼻を前記切欠き部を通して第２マスク面布で覆うとともに、着用者の鼻の穴の方向に前記間隙部を位置させることを特徴とする請求項１又は請求項２に記載のマスク。
【請求項４】
間隙部に、芳香、消臭、保湿、除塵、抗菌のいずれかの成分を有する機能部材を着脱可能に設置したことを特徴とする請求項３記載のマスク。
【請求項５】
マスク面布に着用者の口部分を覆う着脱可能なガーゼ部材を備えたことを特徴とする請求項１乃至請求項４のいずれかに記載のマスク。
【発明の詳細な説明】
【技術分野】
【０００１】
本発明は、通気性を備え着用者の鼻、口を覆うマスクに関するものである。
【背景技術】
【０００２】
近年、インフルエンザその他の空気感染症に対する予防やスギ花粉等のアレルギー対策として、着用者の鼻及び口を覆うマスクが一般的に使用されている。これらマスクの面布には多種多様な形状、材質、構成のものが商品化されている。ただし、マスク面布の保持は、マスク面布の両側部に設けられたゴム紐等の保持部材を着用者の耳に掛けることで行われるのが一般的である。しかしながら、耳に掛けるタイプの保持部材は着用者が耳に不快感や痛みを感じる場合がある。この問題点に対して下記［特許文献１］では、マスク面布の保持に両面テープを用いた考案が開示されている。
【先行技術文献】
【特許文献】
【０００３】
【特許文献１】登録実用新案第３１２５３０７号公報
【発明の概要】
【発明が解決しようとする課題】
【０００４】
しかしながら、マスク面布の保持に両面テープを用いた場合、マスクを顔面から外すと保持部材である両面テープの粘着力が著しく低下する。このため、マスクを顔面から外す度に両面テープの交換が必要となり極めて煩わしいという問題点がある。
【０００５】
本発明は上記事情に鑑みてなされたものであり、着用者の顔面に貼るタイプの保持部材を用いながら、何回でも付け外しが可能なマスクを提供することを目的とする。
【課題を解決するための手段】
【０００６】
本発明は、
（１）通気性を備え着用者の鼻及び口を覆うマスク面布３０と、前記マスク面布３０の両側部に設けられ前記マスク面布３０を着用者Ｙの顔面に保持する保持部材と、を備えたマスクにおいて、
前記保持部材は、前記マスク面布３０の両側上部に設けられた一対の第１保持部３２と、前記マスク面布３０の両側下部に設けられた一対の第２保持部３４と、第１保持部３２及び第２保持部３４の着用者Ｙ側の面に設置された複数回の粘着が可能な粘着層３２ａ、３４ａと、を有し、
前記第１保持部３２の粘着層３２ａが着用者Ｙの頬骨部分に密着し、前記第２保持部３４の粘着層３４ａが着用者Ｙの下顎部分に密着することで前記マスク面布３０を着用者Ｙの顔面に保持することを特徴とするマスク８０ａ、８０ｂ（８０ａ’、８０ａ’’、８０ｂ’、８０ｂ’’）を提供することにより、上記課題を解決する。
（２）粘着層３２ａ、３４ａがシリコンゲル系の粘着剤からなることを特徴とする上記（１）記載のマスク８０ａ、８０ｂ（８０ａ’、８０ａ’’、８０ｂ’、８０ｂ’’）を提供することにより、上記課題を解決する。
（３）マスク面布３０が、着用者Ｙの鼻の位置に切欠き部３６を備えた第１マスク面布３０ａと、前記切欠き部３６を覆う第２マスク面布３０ｂと、を有し、
第２マスク面布３０ｂの下端は前記切欠き部３６の下端よりも下方に位置し、第２マスク面布３０ｂの下部に第１マスク面布３０ａと第２マスク面布３０ｂとで形成される間隙部４０を備え、
着用者Ｙの鼻を前記切欠き部３６を通して第２マスク面布３０ｂで覆うとともに、着用者Ｙの鼻の穴の方向に前記間隙部４０を位置させることを特徴とする上記（１）又は（２）に記載のマスク８０ｂ（８０ｂ’、８０ｂ’’）を提供することにより、上記課題を解決する。
（４）間隙部４０に、芳香、消臭、保湿、除塵、抗菌のいずれかの成分を有する機能部材４２を着脱可能に設置したことを特徴とする上記（３）記載のマスク８０ｂ（８０ｂ’、８０ｂ’’）を提供することにより、上記課題を解決する。
（５）マスク面布３０に着用者Ｙの口部分を覆う着脱可能なガーゼ部材４４を備えたことを特徴とする上記（１）乃至（４）のいずれかに記載のマスク８０ａ、８０ｂ（８０ａ’、８０ａ’’、８０ｂ’、８０ｂ’’）を提供することにより、上記課題を解決する。
【発明の効果】
【０００７】
本発明に係るマスクは、保持部材にゴム紐等を使用しないため着用者の耳に不快感や痛みが生じることはない。また、保持部材を着用者の顔面に密着させることでマスク面布を保持するため、ゴム紐等を用いた従来のマスクよりも着用時の圧迫感を軽減することができる。さらに、保持部材にシリコンゲル系の粘着層を用いるため、マスクの付け外しによる粘着力の劣化がほとんど生じない。このため、マスクの付け外しを何回でも行うことができる。
【０００８】
また、本発明に係る第２の形態のマスクは、着用者の鼻の穴の方向に間隙部を有している。そして、この間隙部に芳香、消臭、保湿、除塵、抗菌の成分を有する機能部材を収容することにより、マスクに上記の芳香、消臭、保湿、除塵、抗菌の機能を付与することができる。
【図面の簡単な説明】
【０００９】
【図１】本発明に係る第１の形態のマスクを示す図である。
【図２】本発明に係る第２の形態のマスクを示す図である。
【図３】本発明に係る第１の形態のマスクの他の形態を示す図である。
【図４】本発明に係る第２の形態のマスクの着用状態を示す図である。
【図５】本発明に係る第２の形態のマスクの他の形態を示す図である。
【図６】ガーゼ部材を備えた本発明に係るマスクを示す図である。
【図７】マスク面布の上部に粘着層を備えた本発明に係るマスクを示す図である。
【発明を実施するための形態】
【００１０】
本発明に係るマスクの実施の形態について図面に基づいて説明する。ここで、図１（ａ）は本発明に係る第１の形態のマスク８０ａを正面から見た図である。また、図１（ｂ）は第１の形態のマスク８０ａの着用状態を示す図である。また、図２（ａ）は本発明に係る第２の形態のマスク８０ｂを正面から見た図である。また、図２（ｂ）は第２の形態のマスク８０ｂを側面から見た図である。また、図４は第２の形態のマスク８０ｂの着用状態を示す図である。尚、図４、及び後述の図６においては、マスク８０ｂの着用状態をより明確に表すためマスク８０ｂを透過状態で示す。
【００１１】
先ず、本発明に係る第１の形態のマスク８０ａ、第２の形態のマスク８０ｂに共通する構成を説明する。図１、図２に示す本発明に係るマスク８０ａ、８０ｂは、通気性を備え着用者Ｙの鼻及び口を覆うマスク面布３０と、マスク面布３０の両側上部に設けられた一対の第１保持部３２と、マスク面布３０の両側下部に設けられた一対の第２保持部３４と、第１保持部３２の着用者側の面に設置された複数回の粘着が可能な粘着層３２ａと、第２保持部３４の着用者側の面に設置された複数回の粘着が可能な粘着層３４ａと、を有している。
【００１２】
マスク面布３０は、従来のマスク面布に用いられる周知の紙や布を使用することができる。特に、安価で使い捨てが可能な不織布を用いることが好ましい。また、マスク面布３０の上辺部には、容易に変形が可能な変形部材１０を設置しても良い。この変形部材１０は例えば金属製のワイヤや薄板で形成されており、着用者Ｙが自身の鼻部にフィットするように変形させることで、マスク面布３０上部における鼻梁横部分の密閉性を更に向上させることができる。尚、変形部材１０は第２の形態のマスク８０ｂにも設置が可能である。この場合、後述の第２マスク面布３０ｂの上部を幅広に形成し、この幅広に形成した部位に変形部材１０を設置することが好ましい。
【００１３】
また、マスク８０ａ、８０ｂの保持部材は第１保持部３２と第２保持部３４とそれらの粘着層３２ａ、３４ａとで構成され、図１（ｂ）及び図４に示すように、上側の第１保持部３２の粘着層３２ａが着用者Ｙの頬骨部分に密着し、下側の第２保持部３４の粘着層３４ａが下顎部分に密着することでマスク面布３０を着用者Ｙの顔面に保持する。このように、本発明に係るマスク８０ａ、８０ｂは粘着層３２ａ、３４ａが頬骨部分と下顎部分とに分かれているため、着用者Ｙの口の開閉を阻害せずマスク８０ａ、８０ｂを着用したまま違和感無く会話を行うことができる。
【００１４】
また、本発明に係るマスクでは粘着層３２ａ、３４ａにシリコンゲル系の粘着剤を用いることが好ましい。そして、粘着層３２ａ、３４ａは、シリコンゲル系の粘着テープを第１保持部３２、第２保持部３４に固定することで形成することが好ましい。ここで、シリコンゲル系の粘着剤は低刺激でかぶれにくく、またアレルギーの原因物質にもなりにくいという特徴を有している。このため、乳幼児や高齢者、アレルギーを有する人等にも問題なく使用することができる。また、シリコンゲル系の粘着剤は着用者Ｙの肌に密着する形で粘着力を発揮する。ただし、粘着剤自体の粘着力はさほど強くないため、粘着層３２ａ、３４ａを剥がす際にも肌の角質成分を引き剥がすことがない。このため、着用者Ｙは粘着層３２ａ、３４ａを剥がす際にも痛みを感じず、また肌がダメージを受けることもない。さらに、粘着層３２ａ、３４ａは着用者の顔面に施された化粧の上からでも十分な粘着力を発揮するとともに、粘着層３２ａ、３４ａを剥がす際にも化粧落ちがほとんど生じない。このように、粘着層３２ａ、３４ａには角質成分や化粧が付着しないため、複数回の付け外しを行っても粘着力の劣化がほとんど発生しない。このため、何回付け外しを行っても強い粘着力を維持することができる。
【００１５】
尚、第１の形態のマスク８０ａは、マスク面布３０の横方向に沿って複数のプリーツ（折り返し）が形成されており、着用時にマスク面布３０を上下方向に引くことで、マスク面布３０の縦寸法を調整することができる。また、非着用時はマスク面布３０を左右方向に引くことで、図１（ａ）の状態に復帰する。
【００１６】
次に、本発明に係る第１の形態のマスク８０ａの他の形態を図３に示す。ここで、図３（ａ）、（ｂ）に示すマスク８０ａ’は、マスク面布３０を着用者Ｙの顔面にフィットする形状としマスクの密閉性を向上させたものである。また、図３（ｃ）、（ｄ）に示すマスク８０ａ’’は、マスク面布３０における着用者Ｙの目の下に位置する部分をカットして、着用者Ｙの視野を確保しながら着用時のフィット性を向上させたものである。
【００１７】
また、第２の形態のマスク８０ｂのマスク面布３０は、着用者Ｙの鼻の位置に切欠き部３６を備えた第１マスク面布３０ａと、切欠き部３６を覆う第２マスク面布３０ｂと、を有している。そして、マスク８０ｂの着用時において着用者Ｙの鼻は、図４に示すように、第１マスク面布３０ａに形成された切欠き部３６を通して第２マスク面布３０ｂによって覆われる。
【００１８】
また、第２マスク面布３０ｂの下端は切欠き部３６の下端よりも下方に位置している。このため、第１マスク面布３０ａと第２マスク面布３０ｂとの間には隙間部分である間隙部４０が形成される。この間隙部４０は、マスク８０ｂの着用時には着用者Ｙの鼻の穴の方向、即ち着用者Ｙの鼻の下に位置する。よって、着用者Ｙの呼気は鼻から間隙部４０に排出される。これにより、着用者Ｙの呼気が鼻梁の横を通ってマスク面布３０の上側に抜けるが防止され、着用者Ｙが眼鏡を着用している場合でも呼気による眼鏡の曇りを防止することができる。
【００１９】
また、外気を直接肺に取り込む口呼吸は、外気を鼻腔内で適度に除塵、加湿する鼻呼吸より、健康上、美容上好ましいものではない。この点、本発明に係るマスク８０ｂは、間隙部４０の存在によりマスク着用時の鼻呼吸を楽に行うことができる。これにより、着用者Ｙに対して健康上、美容上好ましい鼻呼吸をマスクの着用時にも促すことができる。
【００２０】
また、間隙部４０には、図４（ｂ）に示すように、芳香、消臭、保湿、除塵、抗菌等の成分を有する機能部材４２を収容することができる。この機能部材４２は着脱及び交換が可能となっており、長時間の使用等により機能部材４２の能力が低下した場合、新しい機能部材４２に交換することでマスク８０ｂを破棄することなくこれらの機能を維持することができる。これにより、マスク８０ｂの長期使用が可能となり、経済的であると同時にゴミの削減を図ることができる。また、機能部材４２は鼻の穴の方向に位置する間隙部４０に設置されるため、鼻の吸気に対する効果的な芳香、消臭、保湿、除塵、抗菌（除菌）を行うことができる。尚、機能部材４２は着用者Ｙの好みや使用状況、使用目的、使用環境に応じて適宜、選択及び交換が可能である。このため、着用者Ｙはその時々に応じてマスク８０ｂに必要な機能を付与することができる。
【００２１】
尚、機能部材４２に用いる芳香成分の例としては、カモミール、ラベンダー、ミント等のハーブの芳香成分や、ローズ、ミカン、レモン等の花や果実の芳香成分等が挙げられる。この場合、マスク８０ｂは芳香機能を備え、着用者Ｙはマスクの着用時にも着用者Ｙの好む香りを嗅ぐことができる。更に、鎮静効果等を有するアロマ成分を含んだ機能部材４２を用いれば、着用者Ｙは職場や公共の場でも人の目を気にせずにアロマ成分によるリラックス効果を得ることができる。
【００２２】
また、消臭成分の例としては活性炭等の周知の消臭成分が挙げられる。この場合、マスク８０ｂは消臭機能を備え、着用者Ｙが鼻から吸気する外気の中の臭い成分を除去する。
【００２３】
また、保湿成分の例としてはグリセリン等の多価アルコール、その他の周知の保湿成分が挙げられる。そして、機能部材４２としてはこれら保湿成分を含有した周知のウェットフィルタ等が挙げられる。この場合、マスク８０ｂは保湿機能を備え、マスク面布３０内の空気に適度な湿り気を付与する。これにより、着用者Ｙの（マスク面布３０に覆われた部位の）肌を保湿するとともに、着用者Ｙの吸気を湿らせて細菌やウィルスの人体への侵入等を防止し、着用者Ｙの美容と健康の維持を図ることができる。
【００２４】
また、除塵成分の例としては各種フィルタや活性炭等の周知の除塵部材が挙げられる。この場合、マスク８０ｂは除塵機能を備え、マスク８０ｂの除塵効果をさらに向上させることができる。
【００２５】
また、抗菌成分の例としてはカテキン、銀（Ａｇ）等、周知の抗菌成分が挙げられる。この場合、マスク８０ｂは抗菌機能を備え、保湿による抗菌作用よりも優れた抗菌機能を得ることができる。
【００２６】
尚、機能部材４２に付与する成分は複数組み合わせても良い。また、この成分の組み合わせを着用者Ｙ自身が選択可能としても良い。
【００２７】
尚、上記の芳香、消臭、保湿、除塵、抗菌成分が液体状の場合、これら液体状の機能成分を布や脱脂綿、スポンジ等に含浸させて、これを機能部材４２とすることができる。また、上記の機能成分もしくは機能成分を含有した材料を、粉末状、粒状、ブロック状、板状、シート状、ジェル状等に加工して、これを機能部材４２としても良い。尚、機能部材４２が粉末状、粒状、ブロック状、ジェル状等の場合、これら機能部材４２を通気性のある袋等に収容して用いても良い。
【００２８】
次に、本発明に係る第２の形態のマスク８０ｂの他の形態を図５に示す。ここで、図５（ａ）、（ｂ）に示すマスク８０ｂ’は、マスク面布３０の形状を矩形化して着用者Ｙの顎部分をマスク８０ｂよりも広範囲で覆うことを可能としている。また、図５（ｃ）、（ｄ）に示すマスク８０ｂ’’は、着用者Ｙの目の下に位置するマスク面布３０の上端部分を略水平にカットして、着用者Ｙの視野を確保しながら着用時のフィット性を向上させたものである。無論、マスク８０ｂ’、８０ｂ’’も間隙部４０を有しており、機能部材４２の収容が可能である。
【００２９】
また、本発明に係るマスク８０ａ、８０ｂ（８０ａ’、８０ａ’’、８０ｂ’、８０ｂ’’）には、図６に示すように、マスク面布３０の内側（着用者Ｙ側の面）に着用者Ｙの口部分を覆う着脱可能なガーゼ部材４４を設置するようにしても良い。このガーゼ部材４４のマスク面布３０への設置には、マスク面布３０に張り付く周知のマジックテープ（登録商標）を使用することが好ましい。このガーゼ部材４４を設置したマスク８０ａ、８０ｂは、着用者Ｙの咳やくしゃみによる病原体の飛散を更に抑制することができる。また、着用者Ｙの口の汚れ、化粧、唾液等がマスク面布３０本体側に付着することを防止し、ガーゼ部材４４を適宜交換することでマスク８０ａ、８０ｂの衛生状態を維持することができる。これにより、マスク８０ａ、８０ｂの長期使用が可能となり経済的であると同時にゴミの削減を図ることができる。
【００３０】
また、本発明に係るマスク８０ａ、８０ｂ（８０ａ’、８０ａ’’、８０ｂ’、８０ｂ’’）には、図７に示すように、マスク面布３０における着用者Ｙの目の下及び鼻に位置する部位に粘着層３２ａ、３４ａと同様の粘着層３８を設けても良い。尚、図７においては粘着層３８をマスク８０ｂ’、８０ｂ’’に適用した例を示している。この構成によれば、マスク面布３０上部の鼻部及び鼻梁横部分の密閉性を更に向上させることができる。また、マスク８０ａ、８０ｂの粘着能力を更に向上させることができる。
【００３１】
以上のように、本発明に係るマスク８０ａ、８０ｂは、保持部材にゴム紐等を使用しないため着用者Ｙの耳に不快感や痛みが生じることはない。また、本発明に係るマスク８０ａ、８０ｂは、粘着層３２ａ、３４ａにシリコンゲル系の粘着剤を用いているため、複数回の付け外しを行っても粘着力の劣化がほとんど発生しない。このため、何回付け外しを行っても強い粘着力を維持することができる。さらに、シリコンゲル系の粘着層３２ａ、３４ａは肌にフィットするため、従来のマスクよりも着用時の圧迫感や装着感を軽減することができる。
【００３２】
またさらに、本発明に係る第２の形態のマスク８０ｂは、着用者Ｙの鼻の穴の方向に間隙部４０を有し、この間隙部４０に芳香、消臭、保湿、除塵、抗菌の成分を有する機能部材４２を収容することができる。これにより、マスク８０ｂに様々な機能を付与することができる。
【００３３】
尚、本例で示したマスク８０ａ、８０ｂのデザインは一例であり、マスク面布３０、第１マスク面布３０ａ、第２マスク面布３０ｂ、切欠き部３６、第１保持部３２、第２保持部３４、粘着層３２ａ、３４ａ、粘着層３８等の各部の寸法、形状等は、本発明の要旨を逸脱しない範囲で変更して実施することが可能である。
【符号の説明】
【００３４】
３０    マスク面布
３０ａ  第１マスク面布
３０ｂ  第２マスク面布
３２    第１保持部
３４    第２保持部
３２ａ  粘着層
３４ａ  粘着層
３６    切欠き部
４０    間隙部
４２    機能部材
４４    ガーゼ部材
８０ａ、８０ｂ    マスク
Ｙ      着用者
【図１】
2014008367.tif 000003
【図２】
2014008367.tif 000004
【図３】
2014008367.tif 000005
【図４】
2014008367.tif 000006
【図５】
2014008367.tif 000007
【図６】
2014008367.tif 000008
【図７】
2014008367.tif 000009
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
通気性を備え着用者の鼻及び口を覆うマスク面布と、
前記マスク面布の両側部に設けられ前記マスク面布を着用者の顔面に保持する保持部材と、を備えたマスクにおいて、
前記保持部材は、前記マスク面布の両側上部に前記マスク面布から延出して設けられた一対の第１保持部と、前記マスク面布の両側下部に前記マスク面布から延出し且つ前記第１保持部とは分かれて設けられた一対の第２保持部と、第１保持部及び第２保持部の着用者側の面に設置された複数回の粘着が可能なシリコンゲル系の粘着剤からなる粘着層と、を有し、
前記第１保持部の粘着層が着用者の頬骨部分に密着し、前記第２保持部の粘着層が着用者の下顎部分に密着することで前記マスク面布を着用者の顔面に保持することを特徴とするマスク。
【請求項２】
マスク面布が、着用者の鼻の位置に切欠き部を備えた第１マスク面布と、前記切欠き部を覆う第２マスク面布と、を有し、
第２マスク面布の下端は前記切欠き部の下端よりも下方に位置するとともに前記第２マスク面布の下部は前記切欠き部よりも外側に張出し、第２マスク面布の下部に第１マスク面布と第２マスク面布とで形成される間隙部を備え、
着用者の鼻を前記切欠き部を通して第２マスク面布で覆うとともに、着用者の鼻の穴の方向に前記間隙部を位置させ、着用者の呼気を前記間隙部に排出させることを特徴とする請求項１に記載のマスク。
【請求項３】
間隙部に、芳香、消臭、保湿、除塵、抗菌のいずれかの成分を有する機能部材を着脱可能に設置したことを特徴とする請求項２記載のマスク。
【請求項４】
マスク面布に着用者の口部分を覆う着脱可能なガーゼ部材を備えたことを特徴とする請求項１乃至請求項３のいずれかに記載のマスク。
【手続補正２】
【補正対象書類名】明細書
【補正対象項目名】０００６
【補正方法】変更
【補正の内容】
【０００６】
本発明は、
（１）通気性を備え着用者の鼻及び口を覆うマスク面布３０と、前記マスク面布３０の両側部に設けられ前記マスク面布３０を着用者Ｙの顔面に保持する保持部材と、を備えたマスクにおいて、
前記保持部材は、前記マスク面布３０の両側上部に前記マスク面布３０から延出して設けられた一対の第１保持部３２と、前記マスク面布３０の両側下部に前記マスク面布３０から延出し且つ前記第１保持部３２とは分かれて設けられた一対の第２保持部３４と、第１保持部３２及び第２保持部３４の着用者Ｙ側の面に設置された複数回の粘着が可能なシリコンゲル系の粘着剤からなる粘着層３２ａ、３４ａと、を有し、
前記第１保持部３２の粘着層３２ａが着用者Ｙの頬骨部分に密着し、前記第２保持部３４の粘着層３４ａが着用者Ｙの下顎部分に密着することで前記マスク面布３０を着用者Ｙの顔面に保持することを特徴とするマスク８０ａ、８０ｂ（８０ａ’、８０ａ’’、８０ｂ’、８０ｂ’’）を提供することにより、上記課題を解決する。
（２）マスク面布３０が、着用者Ｙの鼻の位置に切欠き部３６を備えた第１マスク面布３０ａと、前記切欠き部３６を覆う第２マスク面布３０ｂと、を有し、
第２マスク面布３０ｂの下端は前記切欠き部３６の下端よりも下方に位置するとともに前記第２マスク面布３０ｂの下部は前記切欠き部３６よりも外側に張出し、第２マスク面布３０ｂの下部に第１マスク面布３０ａと第２マスク面布３０ｂとで形成される間隙部４０を備え、
着用者Ｙの鼻を前記切欠き部３６を通して第２マスク面布３０ｂで覆うとともに、着用者Ｙの鼻の穴の方向に前記間隙部４０を位置させ、着用者Ｙの呼気を前記間隙部４０に排出させることを特徴とする上記（１）に記載のマスク８０ｂ（８０ｂ’、８０ｂ’’）を提供することにより、上記課題を解決する。
（３）間隙部４０に、芳香、消臭、保湿、除塵、抗菌のいずれかの成分を有する機能部材４２を着脱可能に設置したことを特徴とする上記（２）記載のマスク８０ｂ（８０ｂ’、８０ｂ’’）を提供することにより、上記課題を解決する。
（４）マスク面布３０に着用者Ｙの口部分を覆う着脱可能なガーゼ部材４４を備えたことを特徴とする上記（１）乃至（３）のいずれかに記載のマスク８０ａ、８０ｂ（８０ａ’、８０ａ’’、８０ｂ’、８０ｂ’’）を提供することにより、上記課題を解決する。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
通気性を備え着用者の鼻及び口を覆うマスク面布と、
前記マスク面布の両側部に設けられ前記マスク面布を着用者の顔面に保持する保持部材と、を備えたマスクにおいて、
前記保持部材は、前記マスク面布の両側上部に前記マスク面布から延出して設けられた一対の第１保持部と、前記マスク面布の両側下部に前記マスク面布から延出し且つ前記第１保持部とは分かれて設けられた一対の第２保持部と、第１保持部及び第２保持部の着用者側の面に設置された複数回の粘着が可能なシリコンゲル系の粘着剤からなる粘着層と、を有し、
前記第１保持部の粘着層が着用者の頬骨部分に密着し、前記第２保持部の粘着層が着用者の下顎部分に密着することで前記マスク面布を着用者の顔面に保持するとともに、
前記マスク面布は、着用者の鼻の位置に切欠き部を備えた第１マスク面布と、前記切欠き部を覆う第２マスク面布と、を有し、
第２マスク面布の下端は前記切欠き部の下端よりも下方に位置するとともに前記第２マスク面布の下部は前記切欠き部よりも外側に張出し、第２マスク面布の下部に第１マスク面布と第２マスク面布とで形成される間隙部を備え、
着用者の鼻を前記切欠き部を通して第２マスク面布で覆うとともに、着用者の鼻の穴の方向に前記間隙部を位置させ、着用者の呼気を前記間隙部に排出させることを特徴とするマスク。
【請求項２】
間隙部に、芳香、消臭、保湿、除塵、抗菌のいずれかの成分を有する機能部材を着脱可能に設置したことを特徴とする請求項１記載のマスク。
【請求項３】
マスク面布に着用者の口部分を覆う着脱可能なガーゼ部材を備えたことを特徴とする請求項１又は請求項２に記載のマスク。
【手続補正２】
【補正対象書類名】明細書
【補正対象項目名】全文
【補正方法】変更
【補正の内容】
【発明の詳細な説明】
【技術分野】
【０００１】
本発明は、通気性を備え着用者の鼻、口を覆うマスクに関するものである。
【背景技術】
【０００２】
近年、インフルエンザその他の空気感染症に対する予防やスギ花粉等のアレルギー対策として、着用者の鼻及び口を覆うマスクが一般的に使用されている。これらマスクの面布には多種多様な形状、材質、構成のものが商品化されている。ただし、マスク面布の保持は、マスク面布の両側部に設けられたゴム紐等の保持部材を着用者の耳に掛けることで行われるのが一般的である。しかしながら、耳に掛けるタイプの保持部材は着用者が耳に不快感や痛みを感じる場合がある。この問題点に対して下記［特許文献１］では、マスク面布の保持に両面テープを用いた考案が開示されている。
【先行技術文献】
【特許文献】
【０００３】
【特許文献１】登録実用新案第３１２５３０７号公報
【発明の概要】
【発明が解決しようとする課題】
【０００４】
しかしながら、マスク面布の保持に両面テープを用いた場合、マスクを顔面から外すと保持部材である両面テープの粘着力が著しく低下する。このため、マスクを顔面から外す度に両面テープの交換が必要となり極めて煩わしいという問題点がある。
【０００５】
本発明は上記事情に鑑みてなされたものであり、着用者の顔面に貼るタイプの保持部材を用いながら、何回でも付け外しが可能なマスクを提供することを目的とする。
【課題を解決するための手段】
【０００６】
本発明は、
（１）通気性を備え着用者の鼻及び口を覆うマスク面布３０と、前記マスク面布３０の両側部に設けられ前記マスク面布３０を着用者Ｙの顔面に保持する保持部材と、を備えたマスクにおいて、
前記保持部材は、前記マスク面布３０の両側上部に前記マスク面布３０から延出して設けられた一対の第１保持部３２と、前記マスク面布３０の両側下部に前記マスク面布３０から延出し且つ前記第１保持部３２とは分かれて設けられた一対の第２保持部３４と、第１保持部３２及び第２保持部３４の着用者Ｙ側の面に設置された複数回の粘着が可能なシリコンゲル系の粘着剤からなる粘着層３２ａ、３４ａと、を有し、
前記第１保持部３２の粘着層３２ａが着用者Ｙの頬骨部分に密着し、前記第２保持部３４の粘着層３４ａが着用者Ｙの下顎部分に密着することで前記マスク面布３０を着用者Ｙの顔面に保持するとともに、
前記マスク面布３０は、着用者Ｙの鼻の位置に切欠き部３６を備えた第１マスク面布３０ａと、前記切欠き部３６を覆う第２マスク面布３０ｂと、を有し、
第２マスク面布３０ｂの下端は前記切欠き部３６の下端よりも下方に位置するとともに前記第２マスク面布３０ｂの下部は前記切欠き部３６よりも外側に張出し、第２マスク面布３０ｂの下部に第１マスク面布３０ａと第２マスク面布３０ｂとで形成される間隙部４０を備え、
着用者Ｙの鼻を前記切欠き部３６を通して第２マスク面布３０ｂで覆うとともに、着用者Ｙの鼻の穴の方向に前記間隙部４０を位置させ、着用者Ｙの呼気を前記間隙部４０に排出させることを特徴とするマスク８０ｂ（８０ｂ’、８０ｂ’’）を提供することにより、上記課題を解決する。
（２）間隙部４０に、芳香、消臭、保湿、除塵、抗菌のいずれかの成分を有する機能部材４２を着脱可能に設置したことを特徴とする上記（１）記載のマスク８０ｂ（８０ｂ’、８０ｂ’’）を提供することにより、上記課題を解決する。
（３）マスク面布３０に着用者Ｙの口部分を覆う着脱可能なガーゼ部材４４を備えたことを特徴とする上記（１）又は（２）に記載のマスク８０ｂ（８０ｂ’、８０ｂ’’）を提供することにより、上記課題を解決する。
【発明の効果】
【０００７】
本発明に係るマスクは、保持部材にゴム紐等を使用しないため着用者の耳に不快感や痛みが生じることはない。また、保持部材を着用者の顔面に密着させることでマスク面布を保持するため、ゴム紐等を用いた従来のマスクよりも着用時の圧迫感を軽減することができる。さらに、保持部材にシリコンゲル系の粘着層を用いるため、マスクの付け外しによる粘着力の劣化がほとんど生じない。このため、マスクの付け外しを何回でも行うことができる。
【０００８】
また、本発明に係るマスクは、着用者の鼻の穴の方向に間隙部を有している。そして、この間隙部に芳香、消臭、保湿、除塵、抗菌の成分を有する機能部材を収容することにより、マスクに上記の芳香、消臭、保湿、除塵、抗菌の機能を付与することができる。
【図面の簡単な説明】
【０００９】
【図１】粘着層を備えたマスクを示す図である。
【図２】本発明に係るマスクを示す図である。
【図３】粘着層を備えたマスクの他の形態を示す図である。
【図４】本発明に係るマスクの着用状態を示す図である。
【図５】本発明に係るマスクの他の形態を示す図である。
【図６】ガーゼ部材を備えた本発明に係るマスクを示す図である。
【図７】マスク面布の上部に粘着層を備えた本発明に係るマスクを示す図である。
【発明を実施するための形態】
【００１０】
本発明に係るマスクの実施の形態について図面に基づいて説明する。ここで、図１は粘着層を備えたマスク８０ａを示す図である。また、図２（ａ）は本発明に係るマスク８０ｂを正面から見た図である。また、図２（ｂ）は本発明に係るマスク８０ｂを側面から見た図である。また、図４は本発明に係るマスク８０ｂの着用状態を示す図である。尚、図４、及び後述の図６においては、マスク８０ｂの着用状態をより明確に表すためマスク８０ｂを透過状態で示す。
【００１１】
先ず、粘着層を備えたマスク８０ａと、本発明に係るマスク８０ｂとに共通する構成を説明する。図１、図２に示すマスク８０ａ、８０ｂは、通気性を備え着用者Ｙの鼻及び口を覆うマスク面布３０と、マスク面布３０の両側上部に設けられた一対の第１保持部３２と、マスク面布３０の両側下部に設けられた一対の第２保持部３４と、第１保持部３２の着用者側の面に設置された複数回の粘着が可能な粘着層３２ａと、第２保持部３４の着用者側の面に設置された複数回の粘着が可能な粘着層３４ａと、を有している。
【００１２】
マスク面布３０は、従来のマスク面布に用いられる周知の紙や布を使用することができる。特に、安価で使い捨てが可能な不織布を用いることが好ましい。また、マスク面布３０の上辺部には、容易に変形が可能な変形部材１０を設置しても良い。この変形部材１０は例えば金属製のワイヤや薄板で形成されており、着用者Ｙが自身の鼻部にフィットするように変形させることで、マスク面布３０上部における鼻梁横部分の密閉性を更に向上させることができる。尚、変形部材１０はマスク８０ｂにも設置が可能である。この場合、後述の第２マスク面布３０ｂの上部を幅広に形成し、この幅広に形成した部位に変形部材１０を設置することが好ましい。
【００１３】
また、マスク８０ａ、８０ｂの保持部材は第１保持部３２と第２保持部３４とそれらの粘着層３２ａ、３４ａとで構成され、図１（ｂ）及び図４に示すように、上側の第１保持部３２の粘着層３２ａが着用者Ｙの頬骨部分に密着し、下側の第２保持部３４の粘着層３４ａが下顎部分に密着することでマスク面布３０を着用者Ｙの顔面に保持する。このように、本発明に係るマスク８０ｂは粘着層３２ａ、３４ａが頬骨部分と下顎部分とに分かれているため、着用者Ｙの口の開閉を阻害せずマスク８０ｂを着用したまま違和感無く会話を行うことができる。
【００１４】
また、本発明に係るマスクでは粘着層３２ａ、３４ａにシリコンゲル系の粘着剤を用いる。そして、粘着層３２ａ、３４ａは、シリコンゲル系の粘着テープを第１保持部３２、第２保持部３４に固定することで形成することが好ましい。ここで、シリコンゲル系の粘着剤は低刺激でかぶれにくく、またアレルギーの原因物質にもなりにくいという特徴を有している。このため、乳幼児や高齢者、アレルギーを有する人等にも問題なく使用することができる。また、シリコンゲル系の粘着剤は着用者Ｙの肌に密着する形で粘着力を発揮する。ただし、粘着剤自体の粘着力はさほど強くないため、粘着層３２ａ、３４ａを剥がす際にも肌の角質成分を引き剥がすことがない。このため、着用者Ｙは粘着層３２ａ、３４ａを剥がす際にも痛みを感じず、また肌がダメージを受けることもない。さらに、粘着層３２ａ、３４ａは着用者の顔面に施された化粧の上からでも十分な粘着力を発揮するとともに、粘着層３２ａ、３４ａを剥がす際にも化粧落ちがほとんど生じない。このように、粘着層３２ａ、３４ａには角質成分や化粧が付着しないため、複数回の付け外しを行っても粘着力の劣化がほとんど発生しない。このため、何回付け外しを行っても強い粘着力を維持することができる。
【００１５】
尚、マスク８０ａは、マスク面布３０の横方向に沿って複数のプリーツ（折り返し）が形成されており、着用時にマスク面布３０を上下方向に引くことで、マスク面布３０の縦寸法を調整することができる。また、非着用時はマスク面布３０を左右方向に引くことで、図１（ａ）の状態に復帰する。
【００１６】
次に、マスク８０ａの他の形態を図３に示す。ここで、図３（ａ）、（ｂ）に示すマスク８０ａ’は、マスク面布３０を着用者Ｙの顔面にフィットする形状としマスクの密閉性を向上させたものである。また、図３（ｃ）、（ｄ）に示すマスク８０ａ’’は、マスク面布３０における着用者Ｙの目の下に位置する部分をカットして、着用者Ｙの視野を確保しながら着用時のフィット性を向上させたものである。
【００１７】
また、本発明に係るマスク８０ｂのマスク面布３０は、着用者Ｙの鼻の位置に切欠き部３６を備えた第１マスク面布３０ａと、切欠き部３６を覆う第２マスク面布３０ｂと、を有している。そして、マスク８０ｂの着用時において着用者Ｙの鼻は、図４に示すように、第１マスク面布３０ａに形成された切欠き部３６を通して第２マスク面布３０ｂによって覆われる。
【００１８】
また、第２マスク面布３０ｂの下端は切欠き部３６の下端よりも下方に位置している。このため、第１マスク面布３０ａと第２マスク面布３０ｂとの間には隙間部分である間隙部４０が形成される。この間隙部４０は、マスク８０ｂの着用時には着用者Ｙの鼻の穴の方向、即ち着用者Ｙの鼻の下に位置する。よって、着用者Ｙの呼気は鼻から間隙部４０に排出される。これにより、着用者Ｙの呼気が鼻梁の横を通ってマスク面布３０の上側に抜けるが防止され、着用者Ｙが眼鏡を着用している場合でも呼気による眼鏡の曇りを防止することができる。
【００１９】
また、外気を直接肺に取り込む口呼吸は、外気を鼻腔内で適度に除塵、加湿する鼻呼吸より、健康上、美容上好ましいものではない。この点、本発明に係るマスク８０ｂは、間隙部４０の存在によりマスク着用時の鼻呼吸を楽に行うことができる。これにより、着用者Ｙに対して健康上、美容上好ましい鼻呼吸をマスクの着用時にも促すことができる。
【００２０】
また、間隙部４０には、図４（ｂ）に示すように、芳香、消臭、保湿、除塵、抗菌等の成分を有する機能部材４２を収容することができる。この機能部材４２は着脱及び交換が可能となっており、長時間の使用等により機能部材４２の能力が低下した場合、新しい機能部材４２に交換することでマスク８０ｂを破棄することなくこれらの機能を維持することができる。これにより、マスク８０ｂの長期使用が可能となり、経済的であると同時にゴミの削減を図ることができる。また、機能部材４２は鼻の穴の方向に位置する間隙部４０に設置されるため、鼻の吸気に対する効果的な芳香、消臭、保湿、除塵、抗菌（除菌）を行うことができる。尚、機能部材４２は着用者Ｙの好みや使用状況、使用目的、使用環境に応じて適宜、選択及び交換が可能である。このため、着用者Ｙはその時々に応じてマスク８０ｂに必要な機能を付与することができる。
【００２１】
尚、機能部材４２に用いる芳香成分の例としては、カモミール、ラベンダー、ミント等のハーブの芳香成分や、ローズ、ミカン、レモン等の花や果実の芳香成分等が挙げられる。この場合、マスク８０ｂは芳香機能を備え、着用者Ｙはマスクの着用時にも着用者Ｙの好む香りを嗅ぐことができる。更に、鎮静効果等を有するアロマ成分を含んだ機能部材４２を用いれば、着用者Ｙは職場や公共の場でも人の目を気にせずにアロマ成分によるリラックス効果を得ることができる。
【００２２】
また、消臭成分の例としては活性炭等の周知の消臭成分が挙げられる。この場合、マスク８０ｂは消臭機能を備え、着用者Ｙが鼻から吸気する外気の中の臭い成分を除去する。
【００２３】
また、保湿成分の例としてはグリセリン等の多価アルコール、その他の周知の保湿成分が挙げられる。そして、機能部材４２としてはこれら保湿成分を含有した周知のウェットフィルタ等が挙げられる。この場合、マスク８０ｂは保湿機能を備え、マスク面布３０内の空気に適度な湿り気を付与する。これにより、着用者Ｙの（マスク面布３０に覆われた部位の）肌を保湿するとともに、着用者Ｙの吸気を湿らせて細菌やウィルスの人体への侵入等を防止し、着用者Ｙの美容と健康の維持を図ることができる。
【００２４】
また、除塵成分の例としては各種フィルタや活性炭等の周知の除塵部材が挙げられる。この場合、マスク８０ｂは除塵機能を備え、マスク８０ｂの除塵効果をさらに向上させることができる。
【００２５】
また、抗菌成分の例としてはカテキン、銀（Ａｇ）等、周知の抗菌成分が挙げられる。この場合、マスク８０ｂは抗菌機能を備え、保湿による抗菌作用よりも優れた抗菌機能を得ることができる。
【００２６】
尚、機能部材４２に付与する成分は複数組み合わせても良い。また、この成分の組み合わせを着用者Ｙ自身が選択可能としても良い。
【００２７】
尚、上記の芳香、消臭、保湿、除塵、抗菌成分が液体状の場合、これら液体状の機能成分を布や脱脂綿、スポンジ等に含浸させて、これを機能部材４２とすることができる。また、上記の機能成分もしくは機能成分を含有した材料を、粉末状、粒状、ブロック状、板状、シート状、ジェル状等に加工して、これを機能部材４２としても良い。尚、機能部材４２が粉末状、粒状、ブロック状、ジェル状等の場合、これら機能部材４２を通気性のある袋等に収容して用いても良い。
【００２８】
次に、本発明に係るマスク８０ｂの他の形態を図５に示す。ここで、図５（ａ）、（ｂ）に示すマスク８０ｂ’は、マスク面布３０の形状を矩形化して着用者Ｙの顎部分をマスク８０ｂよりも広範囲で覆うことを可能としている。また、図５（ｃ）、（ｄ）に示すマスク８０ｂ’’は、着用者Ｙの目の下に位置するマスク面布３０の上端部分を略水平にカットして、着用者Ｙの視野を確保しながら着用時のフィット性を向上させたものである。無論、マスク８０ｂ’、８０ｂ’’も間隙部４０を有しており、機能部材４２の収容が可能である。
【００２９】
また、粘着層を備えたマスク８０ａ（８０ａ’、８０ａ’’）と本発明に係るマスク８０ｂ（８０ｂ’、８０ｂ’’）には、図６に示すように、マスク面布３０の内側（着用者Ｙ側の面）に着用者Ｙの口部分を覆う着脱可能なガーゼ部材４４を設置するようにしても良い。このガーゼ部材４４のマスク面布３０への設置には、マスク面布３０に張り付く周知のマジックテープ（登録商標）を使用することが好ましい。このガーゼ部材４４を設置したマスク８０ａ、８０ｂは、着用者Ｙの咳やくしゃみによる病原体の飛散を更に抑制することができる。また、着用者Ｙの口の汚れ、化粧、唾液等がマスク面布３０本体側に付着することを防止し、ガーゼ部材４４を適宜交換することでマスク８０ａ、８０ｂの衛生状態を維持することができる。これにより、マスク８０ａ、８０ｂの長期使用が可能となり経済的であると同時にゴミの削減を図ることができる。
【００３０】
また、粘着層を備えたマスク８０ａ（８０ａ’、８０ａ’’）と本発明に係るマスク８０ｂ（８０ｂ’、８０ｂ’’）には、図７に示すように、マスク面布３０における着用者Ｙの目の下及び鼻に位置する部位に粘着層３２ａ、３４ａと同様の粘着層３８を設けても良い。尚、図７においては粘着層３８をマスク８０ｂ’、８０ｂ’’に適用した例を示している。この構成によれば、マスク面布３０上部の鼻部及び鼻梁横部分の密閉性を更に向上させることができる。また、マスク８０ａ、８０ｂの粘着能力を更に向上させることができる。
【００３１】
以上のように、本発明に係るマスク８０ｂは、保持部材にゴム紐等を使用しないため着用者Ｙの耳に不快感や痛みが生じることはない。また、本発明に係るマスク８０ｂは、粘着層３２ａ、３４ａにシリコンゲル系の粘着剤を用いているため、複数回の付け外しを行っても粘着力の劣化がほとんど発生しない。このため、何回付け外しを行っても強い粘着力を維持することができる。さらに、シリコンゲル系の粘着層３２ａ、３４ａは肌にフィットするため、従来のマスクよりも着用時の圧迫感や装着感を軽減することができる。
【００３２】
またさらに、本発明に係るマスク８０ｂは、着用者Ｙの鼻の穴の方向に間隙部４０を有し、この間隙部４０に芳香、消臭、保湿、除塵、抗菌の成分を有する機能部材４２を収容することができる。これにより、マスク８０ｂに様々な機能を付与することができる。
【００３３】
尚、本例で示したマスク８０ｂのデザインは一例であり、マスク面布３０、第１マスク面布３０ａ、第２マスク面布３０ｂ、切欠き部３６、第１保持部３２、第２保持部３４、粘着層３２ａ、３４ａ、粘着層３８等の各部の寸法、形状等は、本発明の要旨を逸脱しない範囲で変更して実施することが可能である。
【符号の説明】
【００３４】
３０    マスク面布
３０ａ  第１マスク面布
３０ｂ  第２マスク面布
３２    第１保持部
３４    第２保持部
３２ａ  粘着層
３４ａ  粘着層
３６    切欠き部
４０    間隙部
４２    機能部材
４４    ガーゼ部材
８０ｂ    マスク
Ｙ      着用者